(57)【要約】  ゴルフボールにアドレスする場合の正しいアラインメントをプレイヤーに教えるための新規な用具と技法を提供する。１つの態様においては、上記の用具と技法により、ショットの意図された目標線と、プレイヤーのスタンスとの関係におけるボールの位置ととをプレイヤーが視覚化できるようにし、プレイヤーが適切なアラインメントを得るために自らのスタンスを容易に修正できる。
2013523262.tif 000002
【特許請求の範囲】
【請求項１】
ゴルフトレーニング器具において、
ハウジングと、
可視スペクトル内の光の１本以上のビームを発出するため、ハウジング内部に少なくとも部分的に配置されている１つ以上のレーザーと、
ハウジング内部に配置されたビームアラインメント装置であって、ユーザーが打ったゴルフボールの意図された目標線を画定する目標軸線に沿って第１の光ビームを誘導し、かつユーザーのスタンスとの関係におけるゴルフボールの静止位置に対応するアラインメント軸線に沿って第２の光ビームを誘導するように構成されているビームアラインメント装置と、
ユーザーからの入力を受信するための制御装置と、
１つ以上のレーザー及び制御装置と少なくとも電気通信状態にある制御回路であって、制御装置が受信する入力に少なくとも部分的に基づいて、１つ以上のレーザーの作動を制御するように構成されている制御回路と、を含むゴルフトレーニング器具。
【請求項２】
制御装置が加速度計を含む、請求項１に記載のゴルフトレーニング器具。
【請求項３】
ユーザーからの入力には、ゴルフトレーニング器具の動作が含まれている、請求項２に記載のゴルフトレーニング器具。
【請求項４】
１つ以上のレーザーには、第１のビームを生成するための少なくとも１つの第１のレーザーと、第２のビームを生成するための少なくとも１つの第２のレーザーが含まれる、請求項１に記載のゴルフトレーニング器具。
【請求項５】
１つ以上のレーザーには、第１のビームと第２のビームを作り出すための回転レーザーが含まれる、請求項１に記載のゴルフトレーニング器具。
【請求項６】
ビームアラインメント装置には、第１のビームの投射を可能にするための第１のアパーチャと第２のビームの投射を可能にするための第２のアパーチャを画定するレーザーハウジングが含まれる、請求項５に記載のゴルフトレーニング器具。
【請求項７】
ビームアラインメント装置が１つ以上のプリズムを含む、請求項１に記載のゴルフトレーニング器具。
【請求項８】
ビームアラインメント装置が１つ以上のレンズを含む、請求項１に記載のゴルフトレーニング器具。
【請求項９】
制御装置が遠隔制御受信機を含む、請求項１に記載のゴルフトレーニング器具。
【請求項１０】
制御装置がブルートゥース受信機を含む、請求項１に記載のゴルフトレーニング器具。
【請求項１１】
ユーザーからの入力には、携帯電話から受信した制御信号が含まれる、請求項１０に記載のゴルフトレーニング器具。
【請求項１２】
地面に設置されるように構成された表面を有し、その上にハウジングが配置されているベース、をさらに含む、請求項１に記載のゴルフトレーニング器具。
【請求項１３】
ベースは、ハウジングが地面との関係において回転できるように構成されている、請求項１２に記載のゴルフトレーニング器具。
【請求項１４】
ベースは、水平に対して可変的な角度を成してハウジングを配置できるように構成されている、請求項１２に記載のゴルフトレーニング器具。
【請求項１５】
ハウジングがベースと結合されている、請求項１２に記載のゴルフトレーニング器具。
【請求項１６】
ゴルフトレーニング方法において、
ハウジングと、
可視スペクトル内の光の１本以上のビームを発出するため、ハウジング内部に少なくとも部分的に配置されている１つ以上のレーザーと、
ハウジング内部に配置されたビームアラインメント装置であって、ユーザーが打ったゴルフボールの意図された目標線を画定する目標軸線に沿って第１の光ビームを誘導し、かつユーザーのスタンスとの関係におけるゴルフボールの静止位置に対応するアラインメント軸線に沿って第２の光ビームを誘導するように構成されているビームアラインメント装置と、
ユーザーからの入力を受信するための制御装置と、
１つ以上のレーザー及び制御装置と少なくとも電気通信状態にある制御回路であって、制御装置が受信する入力に少なくとも部分的に基づいて、１つ以上のレーザーの作動を制御するように構成されている制御回路と、
を含むゴルフトレーニング器具を目標地点との関係においてアラインメントさせるステップと、
アラインメント軸線上にゴルフボールを置くステップと、
光ビームの少なくとも１本との関係におけるユーザーの位置に少なくとも部分的に基づいて、ゴルフボールにアドレスするユーザーのアラインメントを評価するステップと、を含むゴルフトレーニング方法。
【請求項１７】
光ビームの少なくとも１本との関係におけるユーザーの位置に少なくとも部分的に基づいて、ユーザーのアラインメントを修正するステップ、をさらに含む、請求項１６に記載のゴルフトレーニング方法。
【請求項１８】
携帯電話上のソフトウェアプログラムを使用してゴルフトレーニング器具の作動を制御するステップ、をさらに含む、請求項１６に記載のゴルフトレーニング方法。
【請求項１９】
遠隔制御装置を用いてゴルフトレーニング器具の作動を制御するステップ、をさらに含む、請求項１６に記載のゴルフトレーニング方法。
【請求項２０】
ゴルフトレーニングシステムにおいて、
ハウジングと、
可視スペクトル内の光の1本以上のビームを発出するため、ハウジング内部に少なくとも部分的に配置されている１つ以上のレーザーと、
ハウジング内部に配置されたビームアラインメント装置であって、ユーザーが打ったゴルフボールの意図された目標線を画定する目標軸線に沿って第１の光ビームを誘導し、かつユーザーのスタンスとの関係におけるゴルフボールの静止位置に対応するアラインメント軸線に沿って第２の光ビームを誘導するように構成されているビームアラインメント装置と、
ユーザーからの入力を受信するための制御装置と、
１つ以上のレーザー及び制御装置と少なくとも電気通信状態にある制御回路であって、制御装置が受信する入力に少なくとも部分的に基づいて、１つ以上のレーザーの作動を制御するように構成されている制御回路と、を含むゴルフトレーニング器具と、
ゴルフトレーニング器具と通信状態にあって、ユーザー入力を制御装置に提供するための遠隔制御設備と、を含むゴルフトレーニングシステム。
【請求項２１】
遠隔制御設備には、
ゴルフトレーニング器具の作動を制御するための計算装置により実行可能な命令を含むソフトウェアアプリケーション、が含まれる、請求項２０に記載のゴルフトレーニングシステム。
【請求項２２】
計算装置が、携帯電話、ハンドヘルドコンピュータ及びタブレットコンピュータからなる群から選択される、請求項２０に記載のゴルフトレーニングシステム。
【請求項２３】
遠隔制御設備が、
ゴルフトレーニング器具とは別個の遠隔制御装置であって、ユーザーからの入力を受信し、少なくとも部分的にユーザーからの入力に基づいてゴルフトレーニング器具の作動を制御するために信号を伝送するように構成されている遠隔制御装置、を含む、請求項２０に記載のゴルフトレーニングシステム。
【請求項２４】
目標地点及びボール位置の中の少なくとも一つとの関係におけるユーザーのアラインメントを補助するために１本以上の可視光ビームを投射するように構成されているゴルフトレーニング器具。
【発明の詳細な説明】
【技術分野】
【０００１】
関連出願の相互参照
本出願は、参照により本明細書に援用されている「ゴルフトレーニング器具」という題でＢｏｗｍａｎらが２０１０年３月２６日に出願した米国仮特許出願第６１／３１８，１７２号の米国特許法１１９条（ｅ）項の規定に基づく利益を主張する非仮出願である。
【０００２】
著作権宣言文
本特許文書の開示の一部分は、著作権保護の対象となる題材を含んでいる。著作権所有者は、特許・商標局特許ファイル又は記録中に見られる特許文書又は特許開示の何人による複製にも一切異論を挟まないものとするが、その他の点においてはそれに関する著作権に基づく全ての権利を留保する。
【背景技術】
【０００３】
ゴルフスポーツにおいては、経験豊かなプレイヤーは、アドレス時の目標及びボールに対する「スクウェアな構え」の重要さを理解している。一般的な定式として、「スクウェアな構え」の概念は、プレイヤーがそのショットの意図された目標とゴルフボールの両方に対して確実に適切に位置づけされるように、ゴルフボールにアドレスする際にプレイヤーが自分の体をアラインメントすることを意味している。プレイヤーは一般に、自らがアラインメントされている方向にボールを打ち、このアラインメントが意図された目標に対応しない場合には、ショットも目標を外れる確率が最も高い。セットアップとアドレスに一貫性があれば、プレイヤーは、ボールをスクウェアにかつ意図された方向にくり返し打つ自らの能力により自信をもつことになる。
【０００４】
しかしながら、経験の浅いプレイヤーにとっては、正しいアラインメントは多くの場合直観的に得られるものではなくマスターし難い。その結果、経験の浅いプレイヤーは、アドレスにおいて習慣的にミスアラインメントを発生させることが多く、このミスアラインメントを無意識に補償しようとして、スイングに不具合を及ぼす場合がある。ゴルフインストラクターは従来、生徒に正しいアラインメントを教えようとしていくつかの技法を用いてきた。このような技法としては、地面においた２本のクラブ、プラスチック棒／スティックなどの使用が含まれる。このような技法の有効性は、特にインストラクターの指導無く経験の浅いプレイヤーが実践した場合には、限定的なものである。
【発明の概要】
【発明が解決しようとする課題】
【０００５】
したがって、ゴルフボールにアドレスする場合の正しいアラインメントをあらゆる技能レベルのプレイヤーに訓練するためのより堅調な技法及び手段に対するニーズが存在する。このような手段及び技法を、プロの指示を受ける必要なく経験の浅いプレイヤーが実施できたならば、かつ／又はこのような手段を容易に輸送し（例えば典型的なゴルフバッグに入れて）セットアップでき、プレイヤーが運搬上の多大な問題なくトレーニングに携わることができれば、有益であろうと思われる。
【課題を解決するための手段】
【０００６】
したがって、一組の実施形態が、ゴルフボールにアドレスする場合の正しいアラインメントをプレイヤーに教えるための改良された手段と技法を提供する。１つの態様においては、一部の実施形態が、プレイヤーのスタンスとの関係におけるボールの位置と同時にショットの意図された目標線をプレイヤーが視覚化できるようにし、かくしてプレイヤーが適切なアラインメントを得るために自らのスタンスを容易に修正できるようにするアラインメント補助用具を提供している。一部の実施形態では、このような手段は同様に、プレイヤーが数多くの他の重要な詳細、例えばクラブフェースアラインメント、アドレス時の手の場所、当初のボール位置との関係における（ショット後の）ディボットの場所などを確認することができるようにする。
【０００７】
一組の実施形態は、ゴルフトレーニング器具を提供している。一般に、ゴルフトレーニング器具は、目標地点及び／又はボール位置との関係におけるユーザーのアラインメントを補助するために可視光の1本以上のビームを投射するように構成され得ると考えられる。
【０００８】
例示的器具にはハウジングが含まれていてよい。一部の実施形態の一態様において、器具は、少なくとも部分的にハウジングの内部に配置された１つ以上の発光素子（例えば１つ以上のレーザー、回転レーザー、１つ以上の発光ダイオードなど）を有する場合がある。（他の場合において、発光素子は、例えばハウジングなどの外部表面と結合された状態でハウジングの外側に配置されるかもしれない）。別の態様では、レーザー（又は他の発光素子）は、可視スペクトル内の1本以上のビームを発出するかもしれない。
【０００９】
一部の場合において、器具はさらに、同様にハウジングの内部に配置され得るビームアラインメント装置を含む。一部の実施形態において、ビームアラインメント装置は、ユーザーが打ったゴルフボールの意図された目標地点を画定する目標軸線に沿って第１の光ビームを誘導するように構成されている。他の実施形態においては、ビームアラインメント装置は、ユーザーのスタンスとの関係におけるゴルフボールの静止位置に対応するアラインメント軸線に沿って第２の光ビームを誘導するように構成されていてよい。異なる実施形態において、様々なビームアラインメント装置が可能である。単なる一例として、一部の場合において、ビームアラインメント装置は、１つ以上の発光素子を規定の配向に保持するように設計されている取付け部品だけを含むかもしれない。他の場合には、ビームアラインメント装置は、１つ以上のプリズム、例えば円筒プリズム、三角プリズム、１つ以上のレンズ、例えばレンチキュラーレンズなどを含んでいてよい。
【００１０】
一部の実施形態において、器具はさらに、ユーザーからの入力を受信する制御装置及び／又は、発光素子及び／又は制御装置と電気通信状態にあり得る制御回路を含む。一部の場合において、制御装置は、操作による器具の制御を可能にし得るボタン、加速度計などを含むかもしれない。他の場合においては、制御装置は、遠隔制御受信機、ブルートゥース受信機などを含んでいてよい。特定の一態様において、ユーザーからの入力には、遠隔制御装置、携帯電話などから受信した制御信号が含まれる。一態様において、制御回路は、例えば制御装置により受信された入力に少なくとも部分的に基づいて、発光素子の作動を制御するように構成されていてよい。
【００１１】
別の態様において、器具はさらに地面に設置するように構成された表面を有するベースを含み得る。このとき、ハウジングはベース上に配置されかつ／又はベースと結合され得る。（一部の場合、ベースはハウジングの内部に内蔵されていてよい）。一態様では、ベースは、ハウジングが地面との関係において回転するように構成され得る。別の態様では、ベースは、水平に対して可変的な角度を成してハウジングを配置できるように構成されていてよい。
【００１２】
別の一組の実施形態は、ゴルフトレーニングシステムを提供する。一組の実施形態に係るシステムは、遠隔制御設備と共にゴルフトレーニング器具（例えば以上で説明した器具）を含み得る。遠隔制御設備の一例は、（例えばゴルフトレーニング器具内で制御装置が受信すべき信号を伝送することによって）ゴルフトレーニング器具の作動を制御するように、計算装置（数例を挙げると例えば携帯電話、ハンドヘルドコンピュータ、タブレットコンピュータ、ラップトップコンピュータなど）により実行可能な命令を含むソフトウェアアプリケーションであり得る。別の態様では、遠隔制御設備は、ゴルフトレーニング器具とは別個の専用遠隔制御装置であってよく、この遠隔制御装置は、ユーザーからの入力を受信し、少なくとも部分的にユーザーからの入力に基づいてゴルフトレーニング器具の作動を制御するために信号を伝送するように構成されている。
【００１３】
さらに別の一組の実施形態は、ゴルフトレーニング方法を提供している。一つの例示的方法は、目標地点との関係においてゴルフトレーニング器具（例えば以上で説明した器具）をアラインメントするステップを含み得る。この方法はさらに、アラインメント軸線上にゴルフボールを置くステップと、光ビームの少なくとも１本との関係におけるユーザーの位置に少なくとも部分的に基づいて、ゴルフボールにアドレスするユーザーのアラインメントを評価するステップと、を含むかもしれない。一部の場合において、本発明は、光ビームの少なくとも１本との関係におけるユーザーの位置に少なくとも部分的に基づいて、ユーザーのアラインメントを修正するステップ、をさらに含むかもしれない。他の場合においては、この方法は、携帯電話上のソフトウェアプログラムを使用してゴルフトレーニング器具の作動を制御するステップをさらに含むかもしれない。
【００１４】
詳細な実施形態の内容及び利点は、明細書の残りの部分、ならびに類似の構成要素を意味するのに同じ参照番号が使用されている図面を参照することにより、さらに良く理解できるかもしれない。一部の例では、多数の類似の構成要素を示すために参照番号にサブラベルが付随している。既存のサブラベルに対する詳述無く参照番号に言及されている場合、それはこのような多数の同様の構成要素全てを意味するように意図されている。
【図面の簡単な説明】
【００１５】
【図１】様々な実施形態に係る、目標線及びボールとゴルファーのアラインメントを補助するゴルフトレーニング器具の平面図である。
【図２】図１に描かれている、目標線及びボールとゴルファーのアラインメントを補助するゴルフトレーニング器具の立面図である。
【図３】様々な実施形態に係る、ゴルフトレーニング器具の斜視図である。
【図４】様々な実施形態に係る、ゴルフトレーニング器具の切断平面図である。
【図５Ａ】様々な実施形態に係る、ゴルフトレーニング器具用のベースの様々な図を示す。
【図５Ｂ】様々な実施形態に係る、ゴルフトレーニング器具用のベースの様々な図を示す。
【図５Ｃ】様々な実施形態に係る、ゴルフトレーニング器具用のベースの様々な図を示す。
【図６Ａ】様々な実施形態に係る、ゴルフトレーニング器具用の制御回路の簡略図である。
【図６Ｂ】様々な実施形態に係る、ゴルフトレーニング器具用の制御回路の簡略図である。
【図６Ｃ】様々な実施形態に係る、ゴルフトレーニング器具用の制御回路の簡略図である。
【図６Ｄ】様々な実施形態に係る、ゴルフトレーニング器具用の制御回路の簡略図である。
【図７】様々な実施形態に係るゴルフトレーニング方法を例示するプロセスフロー図である。
【発明を実施するための形態】
【００１６】
以上で、一部の実施形態の様々な態様及び特徴について要約してきたが、以下の詳細な説明では、いくつかの例示的実施形態をさらに詳しく示して当業者がこのような実施形態を実践できるようにしている。記述された実施例は、例示を目的として提供されており、本発明の範囲を限定するよう意図されたものではない。
【００１７】
以下の記述においては、説明を目的として、数多くの具体的詳細が記されて、記述された実施形態を完全に理解できるようになっている。しかしながら、当業者にとっては、これらの具体的詳細の一部が無い状態で他の実施形態を実践してもよいということは明白である。他の例においては、いくつかの構造及び装置がブロック図の形で示されている。本明細書には複数の実施形態が記述されており、様々な特徴が異なる実施形態に属するとみなされているものの、１つの実施形態に関して記述された特徴を他の実施形態に取込むこともできるということを認識すべきである。しかしながら同様に、記述されたいずれかの実施形態のどの単一の特徴又は複数の特徴も、他の実施形態ではこのような特徴が除外される場合があることから、全ての実施形態に不可欠であるとみなすべきではない。
【００１８】
別段の指示のないかぎり、使用されている数量、寸法などを表現するのに用いられる全ての数字は、あらゆる場合において「約」という用語で修正されるものとして理解すべきである。同様にして、本明細書中で使用されるアラインメント用語（例えば「アラインメントする」、「同軸の」、「垂直な（ｎｏｒｍａｌ）」及びそれらの派生語）は、そのようなアラインメントにおける正確な精度が典型的な製造技術を用いて実現可能であることが稀であり、様々な実施形態はこのような実施形態の目標を達成するのに充分な精度（正確な精度でなくても）でのアラインメントを含むものとして理解されるべきであるということを認識した上で、「全体として（ｇｅｎｅｒａｌｙ）」という用語を含むものとして解釈されるべきである。
【００１９】
本明細書中、別段の明示的記述のないかぎり、単数の使用は複数を含み、「及び」と「又は」という用語の使用は、別段の指示のないかぎり「及び／又は」を意味する。その上、「〜を含む（ｉｎｃｌｕｄｉｎｇ）」という用語ならびに他の形態例えば、「〜を含む（ｉｎｃｌｕｄｅｓ）」及び「含まれる（ｉｎｃｌｕｄｅｄ）」の使用は、非排他的なものとみなされるべきである。同様に、「要素」又は「構成要素」などの用語は、別段の明示のないかぎり、１つのユニットを含む要素及び構成要素ならびに２つ以上のユニットを含む要素及び構成要素の両方を包含する。
【００２０】
上述の通り、一部の実施形態は、ゴルフボールにアドレスする場合の正しいアラインメントをプレイヤーに教えるための改良された手段と技法を提供する。１つの態様においては、一部の実施形態が、プレイヤーのスタンスとの関係におけるボールの位置と同時にショットの意図された目標線をプレイヤーが視覚化できるようにし、かくしてプレイヤーが適切なアラインメントを得るために自らのスタンスを容易に修正できるようにするアラインメント補助用具を提供している。一部の実施形態では、このような手段は同様に、プレイヤーが数多くの他の重要な詳細、例えばクラブフェースアラインメント、アドレス時の手の場所、当初のボール位置との関係における（ショット後の）ディボットの場所などを確認することができるようにする。
【００２１】
例えば一組の実施形態は、ゴルフトレーニング器具を提供している。１つのこのような器具は、ボールの飛行経路の意図された目標線に対応するものと、この目標線に対し垂直なボールの位置に対応するものという２つの光の線を投射する。他の実施形態は、より多くの又はより少ない線を投射することができる。例えば、一実施形態は、目標経路に対応する線のみを投射し、一方別の実施形態は、目標線及び位置線に加えて、プレイヤーが、同じ目標軸線をなおも維持しながら、ドロー（ボールの飛行経路は、右ききのプレイヤーの場合右から左へとカーブする）又はフェード（ボールの飛行経路は、右ききのプレイヤーの場合左から右へとカーブする）にアラインメントすることができるようにするためのボールの意図された飛行経路に対応する線、を投射するかもしれない。
【００２２】
例えば、１つの実施形態は、少なくとも部分的にハウジングの内部（及び／又はハウジングの外側）に配置された１つ以上の発光素子（例えばレーザー、発光ダイオード（「ＬＥＤ」）など）を伴う、ハウジングを含む器具を提供している。このような素子は、可視光スペクトル内の光の1本以上のビームを発出するように作動し得る。一部の態様においては、器具はさらに、ハウジング内部に配置されたビームアラインメント装置を含んでいてよく、このビームアラインメント装置は、ユーザーが打ったゴルフボールの意図された目標線を画定する目標軸線に沿って第１の光ビームを誘導し、かつユーザーのスタンスとの関係におけるゴルフボールの静止位置に対応するアラインメント軸線に沿って第２の光ビームを誘導するように構成されてよい。一部の場合において、この器具は、ユーザーからの入力を受信するための制御装置及び／又は、発光素子及び制御装置と電気通信状態にある制御回路を含んでいてよく、こうして、この制御回路は、制御装置が受信する入力に少なくとも部分的に基づいて、１つ以上のレーザーの作動を制御するように構成されていてよい。
【００２３】
数多くの変形形態が可能である。単なる一例として、一部の場合において、発光素子は１つ以上のレーザーを含んでいてよく、詳細な実施形態において、このようなレーザーは、透過波長が約５１０〜５７０ｎｍの緑色レーザーであってよい。このようなレーザーの一例としては、２５０ｍＡと３．０ＶＤＣで作動し、出力を２０ｍＷから３０ｍＷまで調整できる５３２ｎｍのレーザーであるＴｈｅ  Ｌａｓｅｒ  Ｇｕｙ．ｃｏｍ（商標）（テキサス州ヒューストン）から入手可能なＥＲ６０型緑色レーザーダイオードがある。特定の実施形態は４つのレーザーを含み、これらのレーザーでは、第１のレーザー対が一般に同軸であるものの反対方向にアラインメントされて、一般に２本のビームを器具内を延びる１本の軸線（例えば目標軸線）に沿って投射し、ここで別のレーザー対は目標軸線に対しおおよそ垂直である軸線（例えばボールアラインメント軸線）に沿って一般に同軸であるような形で配置され得る。このような実施形態において、ビームアラインメント装置は、１つ以上（例えば４つ）のプリズムを含み、各ビームを適切な方向に集束するようになっていてよい。このようなプリズムは、円筒プリズム、三角プリズムなどであってよい。あるいは、ビームアラインメント装置は単に、発出された光が確実に適切な軸線に沿って投射されるようにするためハウジングの内部に各々のレーザーをしっかり固定するのに役立つかもしれない。
【００２４】
他の構成も同様に可能である。例えば、一部の場合において、適切な軸線に沿って発出光を投射するためのビームアラインメント装置として役立つ鏡、レンズ、プリズムなどを恐らく伴う、１つのレーザー（又は２つのレーザー）が存在するかもしれない。他の実施形態においては、発光素子は、単一の回転レーザーを含んでいてよい。このような場合、ビームアラインメント装置は、適切な軸線に沿ったビームの投射を可能にするための１つ以上のアパーチャを画定するレーザーハウジングを含んでいてよい。
【００２５】
上述の通り、一部の実施形態は、目標線及びボールの位置線に加えて、プレイヤーが、同じ目標軸線をなおも維持しながら、ドロー（ボールの飛行経路は、右ききのプレイヤーの場合右から左へとカーブする）又はフェード（ボールの飛行経路は、右ききのプレイヤーの場合左から右へとカーブする）にアラインメントすることができるようにするためのボールの意図された飛行経路に対応する線を投射するかもしれない。一実施形態において、この線の方向は、発光素子の位置の調整、ビームアラインメント装置の調整、レーザーハウジング内のアパーチャの位置の調整などのいずれかによって、目標線から様々な角度（例えば５°、１０°、１５°、２０°、２５°など）を通して（手作業で又は制御回路を通して電子的に）ユーザーによって調整され得る。
【００２６】
一部の実施形態において、制御装置は、ユーザーが手で操作することのできるスイッチを含んでいてよい。一部の態様において、スイッチは、発光素子の連続的作動を可能にするため、発光素子の間欠的作動（例えば１０秒オン、１０秒オフなどの変動する持続時間の反復するオンオフサイクルで）を可能にするため、及び／又は発光素子を全てオフに切替えるため、装置の選択的作動を可能にしてよい。他の実施形態において、制御装置には、例えば、器具を足、クラブヘッドなどで叩くことなどによって器具を移動させることで作動モード（例えば常時オン、間欠的、又はオフ）をユーザーが選択できるようにすることのできる運動を通して器具の作動を制御し得る（例えば制御回路内のスイッチを介して）１つ以上の加速度計を含んでいてよい。別の態様では、このような加速度計を特色とする制御回路は、一定の閾値よりも大きい運動（例えば方向的又は角度的）が検出された場合に、器具をオフに切替えるように構成され得る。このような機能性は、（例えば、ユーザーの目に対する投射光の不慮の曝露を防ぐため及び／又は意図されていない作動及び対応する電池の消耗を防ぐため（例えば、ユーザーが器具をオフに切替えずにそれを取上げゴルフバッグに入れた場合など））の保護手段を提供できると考えられる。
【００２７】
さらなる実施形態において、制御装置は、供給された遠隔制御装置から信号（例えばＲＦ信号）を受信し、それに応じて器具の作動を制御するように構成され得る、遠隔制御受信機を含んでいてよい。代替的にかつ／又は追加的に、制御装置は、器具を制御するためのアプリケーションを実行する別個の装置（例えば携帯電話、ハンドヘルドコンピュータなど）から信号を受信するように構成された受信機（例えばブルートゥース受信機）を含んでいてよい。実際、別の一組の実施形態はゴルフトレーニングシステムを提供しており、その一例には、上述の通りの器具ならびに遠隔制御装置及び／又は器具の作動を制御するために（一例を挙げると）携帯電話上で実行するソフトウェアアプリケーションなどを含むと考えられる。
【００２８】
別の一組の実施形態は、非限定的にゴルフトレーニング方法を含めた方法を提供している。例示的な１つの方法は、（例えば器具が目標地点とアラインメントされた目標軸線に沿ってビームを投射するような形で）目標地点との関係において（一例を挙げると上述のもののような）ゴルフトレーニング器具をアラインメントするステップと、アラインメント軸線上にゴルフボールを置くステップとを含んでいてよい。この方法はさらに、ユーザーがゴルフボールにアドレスするステップ及び／又は器具が投射した光ビームの１つ以上との関係におけるユーザーの位置に少なくとも部分的に基づいて、ユーザーのアラインメントを評価するステップを含み得る。一部の場合においては、方法はさらに、遠隔制御装置及び／又は携帯電話又は類似の装置上のソフトウェアプログラムを用いてゴルフトレーニング器具の作動を制御するステップを含んでいてよい。
【００２９】
図１及び２は、一組の実施形態に係るゴルフトレーニング装置（器具）の考えられる１つの使用を示している。両方の図を同時に参照すると、ゴルフトレーニング装置１は、目標地点（ここではフラッグスティック４として表わされている）及びボール５との関係における、図１に足跡３で表わされているゴルファー３（本明細書では「プレイヤー」及び「ユーザー」とも呼ばれている）のアラインメントを補助するために可視光（例えばレーザー光）のビーム２を投射するように構成されている。目標地点４は当然、従来の要領でゴルフクラブでボール５を打撃することによってボール５を飛ばすことをプレイヤーが望んでいる点又は部域を表わしている。
【００３０】
図示された実施形態において、ビーム２は、２本の軸線６に沿って投射される。第１の軸線（本明細書では「目標軸線」又は「Ｘ軸」と呼ばれる）６ａは、装置１から目標４まで延在する目標線に対応する。装置１と目標４の間の距離（これは典型的に４６メートル（５０ヤード）〜２７３メートル（３００ヤード）の範囲内にある）と対比した装置１とボール５の間の距離から見て、装置１と目標４の間の目標線は、ボール５と目標４の間の真の目標線を充分に近似するものである。第２の軸線（本明細書では「ボールアラインメント軸線」、「アラインメント軸線」又は「Ｙ軸」と呼ばれる）６ｂは、目標軸線６ａにおおよそ垂直である。
【００３１】
装置１を使用するにあたっては、プレイヤー３は、Ｘ軸（目標軸線）６ａが目標４とアラインメントされるような形で装置１を位置づけする。プレイヤーは、ひとたび器具１が目標４と正しく整列されたと考えた時点で、装置１の電源を（例えば制御装置を用いて）オンにし、任意には、（Ｘ軸６ａに沿って）装置の後ろに一歩下がって、Ｘ軸６ａに沿って投射された可視光２を目視してアラインメントが正しいことを確認することができる。ひとたびアラインメントの正しいことが確認できたならば、プレイヤー３は次に、Ｘ軸６ａに沿って投射されたビーム２を用いてゴルフボール５にアドレスして、（例えば、各々の足からＸ軸６ａまでの距離が一致していることを確実にすることによって）自らの両足（ひいては自らの体）が正しくアラインメントされていることを保証する。Ｙ軸６ｂ（ボールアラインメント軸線）に沿って投射されたビーム２を用いて、ユーザーは、自らのスタンス（足の位置）との関係においてボール５がどこにあるかを判断することができる。例えば、数多くのショットについて、プレイヤー３はボール５が両足の間の中立位置にくることを望むと考えられ、したがってプレイヤー３は両足を移動させてＹ軸６ｂが確実にその両足の間の中央にくるようにすると考えられる。他の場合では、プレイヤー３は、自らのリーディングフットにより近いところにボールを位置づけしたい（例えばロングアイアン又はウッドを打つとき）と考えるかもしれず、一方他の場合では、プレイヤー３は、トレーリングフットにより近いところにボール５を位置づけしたい（例えばショートアイアンを打つとき）と考えるかもしれない。いずれの場合も、プレイヤー３は（Ｘ軸６ａとの一貫したアラインメントを維持しながら）自らの両足をＹ軸６ｂとの関係において調整して、正しいボールの位置を得ることができる。
【００３２】
様々な実施形態が、他の用途ならびにメリットも提供できる。例えば、ショットをアラインメントするためトレーニング装置をくり返し使用することで、プレイヤーは、装置を使用しない場合でも、より精確に目標に対する適正なアラインメントを視覚化する能力を発達させることになる。この能力によって、今度は、セットアップにおける自信が生み出され、こうしてプレイヤーは、ゲームの他の面に集中することができる。その上、ユーザーは、ひとたび自らの理想的セットアップを見極めたならば、異なる飛行パターンのショットを打つためにスタンスを変更することを学習できる。
【００３３】
さらに、装置の使用を通して、プレイヤーがスタンス内にボールを設置するプロセスははるかに容易になる。プレイヤーは今や、発出されている４本の線を基準とすることにより自らがスクウェアにセットアップしている（すなわち適正にアラインメントされている）という自信をもつことになる。一部の実施形態においては、装置は、１つの頑丈なユニットであり、目標の場所が装置の使用に影響を及ぼすことはない。プレイヤーは装置を目標に指し向けるだけでよく、直ちにボールの位置及びスタンスに対する関係に関する指針を得る。装置をくり返し使用することで、自信を構築できる。ボールの位置が良くなると、ゴルフボールへの打撃はより確固たるものとなる。ボールの設置は、スイングの全ての面に影響を及ぼし、例えばボールがプレイヤーのスタンス内ではるかに後方に位置設定された場合、プレイヤーの体重は通常そのスタンスの中で過度に後方に置かれて、自由なスイングを妨げる。
【００３４】
一部の実施形態においては、ボール位置に向かう線上にクラブを降ろした時点で。クラブフェースの位置がアドレスされる。アドレスのためにクラブヘッドを降ろしクラブをグリップした場合、ユーザーは、自分のクラブフェースがアドレス時にオープン、クローズド又はスクウェアであるかを目視することができる。様々な実施形態が同様に、プレイヤーがアドレス時の手の位置のトレーニングを行なえるようにする。ショットのために整列させるとき、プレイヤーは自らの手及びクラブグリップが、ユーザーのスンタスの間で投射された線の前にあるか、後ろにあるか又はその上にまっすぐ置かれているかを目視することができる。
【００３５】
トレーニング装置は、パッティングのためにも使用可能である。単なる一例として、この装置は、ビームをパッティングラインに沿ってボールに向かって誘導するため、カップの反対側後方に（すなわちカップを挟んでボールと反対の側に）装置を設置することができる。このとき、プレイヤーは、自らのパターが発生させるスピンの方向及び／又はタイプを見ることができ、ユーザーは、パッティングの場合のより正確なスイング面をトレーニングできることになる。
【００３６】
図３は、一組の実施形態に係るゴルフトレーニング装置用のハウジングを示す。ハウジングは、本体部分３００とフタ部分３０５を含み、これらは装置の製造及び／又は修理を可能にするため分離可能であり得る。ハウジング内部に収納されているのは、典型的には、発光素子、制御回路、電源（例えば電池）そして必要なあらゆるビームアラインメント装置である。
【００３７】
図４は、ゴルフトレーニング装置４００の切断平面図を示す。例示した装置４００は、４つのレーザー４０５を含み、これら４つのレーザー４０５によって生成されたビームをアラインメントするため４つの対応するプリズム４１０を伴う。（追加的に及び／又は代替的に、レーザー４０５によって生成されたビームをアラインメントするために１つ以上のレンズを使用することができる。単なる一例として、１つの特定の実施形態において、装置は、ビームをアラインメントするために１つ以上のレンチキュラーレンズを利用してよい。例えばレンチキュルの数は、レーザー性能を最適化しかつ／又は安全性及び／又は規則上の問題と性能とのバランスをとるように、レーザー４０５の特性に基づいて選択可能である。）ハウジング４２０は４つのアパーチャ４１５を画定し、それを通して、レーザー４０５からのビームはプリズム４１０により誘導される。目標軸線に沿ってビームを生成するために１対のレーザー４０５ａ、４０５ｂが使用され、一方、もう１つのレーザー対４０５ｃ、４１０ｄはボールアラインメント軸線に沿ってビームを生成するために使用される。
【００３８】
様々な実施形態が、様々なビーム発出パターンを提供するように構成されている。単なる一例として、一部の実施形態においては、ビームアラインメント装置（例えばプリズム４１０ａ、レンズなど）は、（装置４００が平担な地面に置かれている場合）装置４００から約１５ｃｍ（約６インチ）〜約７．６ｍ（約３００インチ）（一部の場合においては約３０ｃｍ（約１２インチ）〜約６１ｃｍ（約２４インチ））の地面の上の一点にレーザーが集束されるような形で、レーザー４０５ａとの関係において位置づけされている。この構成によると、装置４００からおよそ同じ距離だけ延在する可視的な線が生成される。他の場合においては、ビームアラインメント装置は、より長い距離（例えば数百メートル（数百ヤード））にわたりビームを投射し、目標線に対してボールの飛行を追跡できるようにしかつ／又は目標軸線を目標地点と精確にアラインメントできるようにするように、構成されてよい。他の構成も同様に可能である。例えば、一部の場合において、装置４００が１つのレーザー４０５が光を有意な距離だけ投射し、一方他の３つのレーザー４０５ｂ、４０５ｃ、４０５ｄは光を装置から約１５ｃｍ（約６インチ）〜約７６ｃｍ（約３０インチ）だけ投射するような形で構成されてよい。
【００３９】
ハウジング４２０は、非限定的に種々のプラスチック及び金属を含めた様々な材料で製造され得る。一実施形態において、ハウジングは、Ｗａｔｅｒ  Ｓｈｅｄ（商標）  ＸＣ１１１２２低粘度液体フォトポリマーを用いて成形される。レーザー４０５は、一実施形態において、３Ｖ〜５Ｖの緑色レーザーであり、そこからの出力は１ｍＷ〜６０ｍＷであるが、（他のレーザー例えば赤色レーザー及び／又は発光ダイオードなどを含めた）他の発光素子も使用可能である。一実施形態において、プリズム４１０は、直径１／４’’の円筒形のプラスチック棒であり得る。他の実施形態において、これらは適合されたプラスチック又はガラスレンズ、プラスチック又はガラスの三角（すなわち錐体）プリズムであってよい。他のビームアラインメント装置には、他の選択肢の中でも、２〜４方向ビームスプリッタ（これは水晶、プリズム、鏡などを含み得る）及び／又はプラスチック又はガラス製レンズ（非限定的にレンチキュラーレンズを含む）が含まれる可能性がある。装置４００は、典型的には、電源、制御装置及び／又は制御回路などを非限定的に含む、図４に例示されていない他の構成要素を含む。
【００４０】
一組の実施形態においては、ゴルフトレーニング装置はベースを含み、これにより、装置のハウジングを地面との関係において操作することができる可能性がある。単なる一例として、図５Ａは、一部の実施形態にしたがって使用可能なベース５００の立面図を示している。一部の場合において、ベースは、地面上に置くように構成された第１の表面と、その上にハウジングを配置させるように構成された第２の表面とを特色として有するかもしれない。（一部の実施形態において、第２の表面は一般に第１の表面と反対側にある）。単なる一例として、図５Ａに示されているベース５００は、上部本体５０５（その平面図は図５Ｃによって示されている）及び下部本体５１０（その平面図は図５Ｂに示されている）を含む。下部本体５１０は、地面上に置かれるように構成されている第１の表面５２０を含み、一方上部本体５０５は、（例えば図３及び４により示されているような）器具のハウジングが上に設置されているように構成された第２の表面５１５を含む。図５Ａ〜５Ｃには矩形として示されているものの、ベース５００は様々な形態のいずれかをとることができる。単なる一例として、ベース５００は、装置用のハウジングと同じ基礎形状を有する場合がある（例えば、図３及び４に描かれたハウジングは類似の十字形のベースを有していてよい）。
【００４１】
一部の場合において、ベースは、（ベースの第１及び／又は第２の表面に対して垂直であってよい）中央軸線に沿ってベースの一部が回転できるようにするターンテーブル、軸受セットなどの回転装置を含んでいてよい。単なる一例として、図示された実施形態において、上部本体５０５及び下部本体は、回転結合器具５２５（例えば車軸、軸受セットなど）と結合されており、こうして、ハウジングが上に配置されている第２の表面５１５は、第１の表面５２０との関係において自由に（かつ／又は抵抗、戻り止めなどと共に）回転できるようになっており、ベース５００の第１の表面５２０が地面との関係において回転することなくハウジングが地面との関係において回転することを効果的に可能にしている。
【００４２】
任意には、ベース５００は、ベース５００と地面の間及び／又はベース５００とハウジングの間により確実な嵌合いを可能にするための軸受表面又は装置を含んでいてよい。単なる一例として、図示された実施形態において、ベース５００はゴム、プラスチック又は任意の適切な材料で製造可能な４本の脚部を含んでいる。（他の実施形態では脚部５３０の数はより多いもの又は少ないものであるかあるいは脚部を全く含まない場合もある、ということを指摘しておくべきである）。特定の一実施形態においては、脚部５３０は各々、螺入式の留め具で下部本体５１０の下部表面５２０に取付けられ、（脚部５３０をベース５００内に相対的に多く又は少なく螺入することで）脚部５３０の各々を上昇又は下降させることができ、ベースを不均等な地表面上に確実に置くことができるようになっている。（代替的にかつ／又は追加的に、脚部５３０をスパイク式に打ち込んで地面に部分的に挿入すること、下部本体５１０に内蔵することなどが可能である）。
【００４３】
同様にして、ベース５００は、ゴルフトレーニング装置のハウジングとベース５００を結合させることができるように１つ以上の結合機構を特色として有していてよい。（当然のことながら、以上で指摘した通り、一部の実施形態において、ベース５００は、ハウジング自体と一体化されかつ／又は常時ハウジング自体に取付けられてよい）。図５Ａ及び５Ｃに示されている通り、例えば上部本体５０５の上部表面５１５には、ゴルフトレーニング装置のハウジングとベース５００の結合を可能にするための４つの結合機構５３５が含まれる。（他の実施形態がより多くの又はより少ない結合機構５３５を含んでいるか、又はこれを全く含んでいなくてもよいという点を指摘しておくべきである）。多様な結合機構５３５を使用することができる。一部の場合において、例えば、結合機構５３５は単に、ベース５００とハウジングの間に摩擦を提供するゴムパッドを含むだけでよい。他の実施形態では、結合機構５３５は、マジックテープ（登録商標）（例えばＶｅｌｃｒｏ（登録商標）ファスナー）を使用してもよい。さらに他の実施形態において、結合機構は、ボルト、リベットその他、より相対的に永久的なファスナーを含んでいてよい。さらなる実施形態において、結合機構５３５は、ハウジングの底面上の対応するスロット（又はタブ）内に嵌合わさることのできるタブ（又はスロット）を含んでいてよい。異なる実施形態に応じて、様々な異なる結合装置５３５（そしてついでに言えば、脚部５３５）を使用することができる。
【００４４】
他の実施形態では、ベースは、ハウジングのベース（及び／又は上面５１５）と地面の角度を調整できるように構成されていてよい。これは、数多くの方法で達成可能である。単なる例として、一部の場合において、脚部５３０の高さは、脚部５３０の一部又は全てを異なる高さに調整することで地面に対し一定の角度を成してベースを静置させることができるように、（例えば上述の通りに）調整可能であるかもしれない。他の実施形態では、上部本体５０５と下部本体５１０の間の結合は、上部本体５０５と下部本体５１０が同一平面内にないようにするための調整を可能にするかもしれない。（地面及び／又は水平との関係における）ハウジングの角度を変更することにより、このときユーザーは、光ビームの１つ以上が地面と交叉するまでに投射される長さを変更することができる。
【００４５】
図６Ａ〜６Ｄは、様々な実施形態に係る制御回路を示す概略図である。当業者であれば、本明細書の開示に基づいて、これらの概略図が例示及び説明を目的として簡略化されていることそして様々な実施形態が様々な他の電気部品例えば抵抗器、コンデンサー、ダイオードなどを必要に応じて及び／又は適宜含み得ることを認識するものである。
【００４６】
図６Ａは、上述の装置のようなゴルフトレーニング装置の作動を制御するための制御回路６００を示している。制御回路６００は、制御装置（図示された実施形態においてはスイッチ６０５）及び２組の発光素子（例えばレーザー、ＬＥＤなど）６１０を電源６１５と共に含む。図６Ａのスイッチ６０５には、ユーザーが操作できるトグル６２０が含まれている。電源６１５は、１つ以上の電池、Ａ／Ｃ電源（恐らくはＡ／Ｃ−Ｄ／Ｃ変圧器を伴う）などを含むことができる。特定の一実施形態においては、電源６１５は、３５０〜２２００ｍＡのアンペア数範囲を伴う１〜４個の３Ｖ電池を含んでいてよい。
【００４７】
図６Ａは、いずれのセットも互いに独立して電源をオンオフ切替えできることを示すために並列に配線されているものとして、２組の発光素子を例示している。一実施形態においては、一組の発光素子６１０ａが目標軸線に沿ってビームを伝播するために使用される一方で、別の発光素子セット６１０ｂは、ボールアラインメント軸線に沿ってビームを伝播するために使用されてよい。したがって、制御回路６００は、例えばボールアラインメントの機能を使用せずに目標線を視覚化するためにユーザーが発光素子６１０ａの電源をオンにすることができるようにする（あるいはその逆）。当然のことながら、他の構成では、直列に配線されてもよく、あるいは別の形で全ての発光素子６１０の電源が一緒にオン又はオフに切替えられることが必要とされる場合もある、ということを指摘しておくべきである。同様に、２組より多く又は少ない発光素子６１０が存在し得ること、そして各セットが１つ以上の発光素子を含み得ることも認識すべきである。単なる一例として、それぞれ目標軸線及びボールアラインメント軸線を表わすための２組の発光素子に加えて（又はそれらに代って）、上述の通りボールの飛行経路に対応するための１つ以上の発光素子の第３のセットが存在してもよい。
【００４８】
スイッチ６０５は、一部の実施形態において、電源オンにすべき１つ以上の発光素子セット６１０をユーザーが選択できるように、ならびに発光素子６１０の作動（例えば常時オン、電源オフ、間欠的オンなど）を特定できるように構成され得る。一実施形態において、スイッチ６０５は、３０秒オン、１０秒オフ、４５秒オン、１０秒オフ、６０秒オン、１０秒オフなどの３つの選択可能なタイミング位置からの選択（例えばトグル６２０を介したもの）を可能にするための３位置タイムスイッチであってよい。一部の場合において、スイッチ６０５は、各々の発光素子セット６１０のために別個のトグル６２０を含んでいてよい。
【００４９】
図６Ｂは、制御装置が加速度計６３０と通信状態にあるスイッチ６０５を含むという点を除いて、図６Ａの制御回路６００と類似した制御回路６２５の第２の実施形態を示している。（トグルスイッチも含まれていてよい）。制御回路６２５は、ゴルフトレーニング装置の運動（角運動又は線形運動）を通して、上述の通りのゴルフトレーニング装置の制御を可能にすることができる。運動を検知した時点で、加速度計６２５はスイッチ６０５に信号を伝送して、発光素子６１０の作動を制御する。
【００５０】
同様にして、図６Ｃは、遠隔制御装置６４５からのＲＦ信号を受信しこうしてスイッチ６０５を介して発光素子６１０の作動を制御できるＲＦ受信機６４０と通信状態にあるスイッチ６０５を制御装置が含んでいるという点を除いて、図６Ａの制御回路６００と類似した制御回路６３５の第３の実施形態を示している。（トグルスイッチも含まれていてよい）。他の実施形態では、赤外線通信などにより作動するように遠隔制御機構６４５及び／又は受信機６４０を構成してもよい。
【００５１】
図６Ｄは、ブルートゥース受信機６５５が無線装置６６０（例えば携帯電話、ハンドヘルドコンピュータなど）からの信号を受信し、かくしてスイッチ６０５を介して発光素子６１０の作動を制御できるという点を除いて、図６Ｃの制御回路６３５と類似した制御回路６５０の第４の実施形態を示している。
【００５２】
図６Ａ〜６Ｄに示されている制御回路の構成要素を、所望される通りに組合せることができる（例えば、制御装置はブルートゥース受信機と加速度計又はＲＦ受信機とトグルスイッチなどを両方含んでいてよい）ということを認識すべきである。１つの態様において、制御回路は、選択可能なタイムスイッチ及び加速度計、遠隔受信機などのための制御機構用の制御設定値と共に、５つの別個のレーザーを同時に制御するための５つの別個の電力回路用にプログラミングされたプリント回路板（「ＰＣＢ」）として実施されてよい。
【００５３】
図７は、ゴルフトレーニング方法７００を示す。ブロック７０５では、この方法７００は、目標地点との関係においてゴルフトレーニング装置（例えば上述の装置）をアラインメントするステップを含む。例えば、ゴルフトレーニング装置は、発出された光のビームが目標地点への目標線に対応するような形でアラインメントされ得る。この方法７００にはさらにゴルフトレーニング装置のボールアラインメント軸線の上にゴルフボールを置き（ブロック７１０）、こうしてボール及びプレイヤーのスタンスと交わる１本の光ビーム（又は多数の光ビームを装置が発出するようにするステップが含まれる。ブロック７１５では、プレイヤーは従来通りにボールにアドレスし、ブロック７２０で、この方法は、例えば上述の要領で光ビームの少なくとも１本との関係におけるプレイヤーの位置に少なくとも部分的に基づいてプレイヤーのアラインメントを評価するステップを含んでいる。
【００５４】
一部の場合において、方法７００は、光ビームの少なくとも１本との関係におけるプレイヤーの位置に少なくとも部分的に基づいて、プレイヤーのアラインメントを修正するステップを含んでいる。単なる一例として、プレイヤーのスタンスの評価により、プレイヤーが目標線とアラインメントしていないことが示された場合、プレイヤーの足を（目標軸線により近くかつ／又は目標軸線からさらに遠くに片足又は両足を移動させることによって）再アラインメントしてよく、かつ／又はボールがプレイヤーのスンタス内の適正な位置にアラインメントされていない場合には、ボールアラインメント軸線により近くに又はボールアラインメント軸線からさらに遠くに片足又は両足を移動させることによって、プレイヤーのアラインメントを修正してよい。
【００５５】
特定の実施形態において、方法７００は、発光素子のタイミングなどを調整するために、なかんづく、ゴルフトレーニング装置（及び／又は本明細書中の発光素子の一部又は全て）の電源をオンに切替えるための前述の方法のいずれかを用いて）制御装置を作動させることなどによって、ゴルフトレーニング装置の作動を制御するステップ（ブロック７３０）を含むことができる。ゴルフトレーニング装置の作動の制御ステップには、例えば、足又はクラブヘッドで装置を軽く押すこと、トグルを操作すること、携帯電話又は他の装置上でソフトウェアプログラムを作動させること及び／又は、遠隔制御装置を作動させることが含まれ得る。
【００５６】
例示的実施形態に関して一部の特徴及び態様を説明してきたが、当業者であれば、数多くの修正が可能であることを認識するものである。例えば、本明細書中に記載されている方法及びプロセスは、ハードウェアーコンポーネント、ソフトウェアコンポーネント及び／又はそれらの任意の組合せを用いて実施されてよい。さらに、本明細書中に記載されている様々な方法及びプロセスは、記述を容易にするため特定の構造的及び／又は機能的構成要素に関して記述されているものの、様々な実施形態によって提供される方法は、任意の特定の構造的かつ／又は機能的アーキテクチャに限定されず、むしろ、任意の適切なハードウェア、ファームウェア及び／又はソフトウェア構成で実施可能である。同様に、一部の機能性は一部のシステム構成要素に属するものとみなされるものの、文脈上他の意味に解すべき場合を除き、この機能性は、複数の実施形態にしたがって他の様々なシステム構成要素の間で分配し得るものである。
【００５７】
その上、本明細書に記載されている方法及びプロセスの手順は、記述を容易にするために特定の順序で記述されているが、文脈上他の意味に解すべき場合を除き、様々な実施形態にしたがって様々な手順を順序付けし直し、追加しかつ／又は削除してよい。その上、１つの方法又はプロセスに関して記述されている手順を、記載された他の方法又はプロセス内に取込んでもよい。同様にして、特定の構造アーキテクチャにしたがってかつ／又は１つのシステムに関して記述されたシステム構成要素を、代替的な構造アーキテクチャ内で組織しかつ／又は他の記述されたシステム内に取込んでもよい。したがって、様々な実施形態が、記述を容易にするため及びこれらの実施形態の例示的態様を示す目的で、一部の特徴を伴って（又は伴わずに）記述されているものの、特定の実施形態に関して本明細書中で記述されている様々な構成要素及び／又は特徴は、文脈上他の意味に解すべき場合を除き、記述された他の実施形態の中で置換、追加及び／又は削除可能である。したがって、以上では複数の例示的実施形態が記述されているが、本発明は、以下のクレームの範囲内の全ての修正及び等価物を網羅するように意図されるものと認識される。
【図１】
2013523262.tif 000003
【図２】
2013523262.tif 000004
【図３】
2013523262.tif 000005
【図４】
2013523262.tif 000006
【図５Ａ】
2013523262.tif 000007
【図５Ｂ】
2013523262.tif 000008
【図５Ｃ】
2013523262.tif 000009
【図６Ａ】
2013523262.tif 000010
【図６Ｂ】
2013523262.tif 000011
【図６Ｃ】
2013523262.tif 000012
【図６Ｄ】
2013523262.tif 000013
【図７】
2013523262.tif 000014
【国際調査報告】
2013523262.tif 000015